(57)【要約】スピーカー取付け装置及びスピーカー取付け方法が開示されている。本発明の一つの実施態様において、スピーカー取付け装置は、構造体に取り付け可能な取付け部材と、取付け部材に取り付け可能なコネクタと、コネクタに取り付け可能なドッキング部材と、ドッキング部材に取り付け可能なスピーカーハウジングとを有している。スピーカーハウジングは側面を有していて、側面には受容部分が備えられている。受容部分は、ドッキング部材を取りはずし可能に受容している。  本発明の他の実施態様において、構造体へのスピーカーハウジングの取り付け方法が、取付けブラケットを構造体に取りつける段階と、コネクタを用いてドッキング部材を取付けブラケットに接続する段階と、スピーカーハウジングをドッキング部材に取りはずし可能に取りつける段階と、取付けブラケット及び構造体に対して、ユニットとして結合プレートとスピーカーハウジングとを組立てる段階とを含んでいる。
2005520446.tif 000002
【特許請求の範囲】
【請求項１】
スピーカーを構造体に取りつけるためのスピーカー取付け装置が：
該構造体に取付け可能な取付け部材と；
該取付け部材と接続可能なドッキング部材と；
該ドッキング部材に取り外し可能に取りつけられたスピーカーハウジングであって、該スピーカーハウジングが該ドッキング部材を取り外し可能に受容する受容部分を備えた側面を有しているスピーカーハウジングと；
を具備するスピーカー取付け装置。
【請求項２】
該スピーカーハウジングが、第一位置と第二位置との間で可動な急速継手機構により、取り外し可能に該ドッキング部材に取り付けられている、請求項１に記載のスピーカー取付け装置。
【請求項３】
該スピーカーハウジングにおける受けと；
該受けと取り外し可能に係合している、該ドッキング部材におけるラッチと；をさらに具備している、請求項１に記載のスピーカー取付け装置。
【請求項４】
該ラッチが開位置と閉位置との間で可動であり、かつ該ドッキング部材は回り止め機構を含んでいて、該回り止め機構が該ラッチを該開位置あるいは該閉位置の少なくとも一方に取り外し可能に保持している、請求項３に記載のスピーカー取付け装置。
【請求項５】
開位置と閉位置との間で可能な該ドッキング部材におけるラッチと；
該閉位置において該ラッチと取り外し可能に係合している、該ドッキング部材におけるロックと；をさらに具備している、請求項１に記載のスピーカー取付け装置。
【請求項６】
該取付け部材と該ドッキング部材とに取り付けられたコネクタを具備していて；該取付け部材がボール−ソケット継手により該コネクターと接続されている；請求項１に記載のスピーカー取付け装置。
【請求項７】
該ドッキング部材がトランスフォーマを含んでいて、該トランスフォーマは、該ドッキング部材が該スピーカーハウジングに取り付けられる際に該スピーカーハウジングと電気的に接続される、請求項１に記載のスピーカー取付け装置。
【請求項８】
該スピーカーハウジングと該ドッキング部材との一方が溝を含んでいて、該スピーカーハウジングと該ドッキング部材との他方が、該溝にスライド可能に受容されるべく形成された突起を含んでいる、請求項１に記載のスピーカー取付け装置。
【請求項９】
該ドッキング部材と該スピーカーハウジングとがスライド可能に取りつけられている、請求項８に記載のスピーカー取付け装置。
【請求項１０】
該受容部分が容器である、請求項１に記載のスピーカー取付け装置。
【請求項１１】
スピーカーを構造体に取り付けるための装置であって、装置が：
該構造体に取り付け可能な取付け部材と；
該取付け部材に取り付けられた第一コネクタと；
該第一コネクタに取り付けられたドッキング部材であって、第二コネクタと電気コネクタとを有しているドッキング部材と；
接続部分と少なくとも一つの電気接続とを有しているスピーカーハウジングであって、該接続部分は該第二コネクタと可動に係合していて、該少なくとも一つの電気接続は、該スピーカーハウジングを該ドッキング部材と作動可能に接続するべく、該電気コネクタと取り外し可能に係合しており、該スピーカーハウジングは受容部分を備えた側面を有していて、該取付け部材は該受容部分の中に位置決め可能である、スピーカーハウジングと；
を具備する装置。
【請求項１２】
該第二コネクタが急速継手機構を含んでいる、請求項１１に記載の装置。
【請求項１３】
該第二コネクタが第一位置と第二位置との間で可動な急速継手機構を含んでいる、請求項１１に記載の装置。
【請求項１４】
該第二コネクタが該スピーカーハウジングにおける該接続部分と取り外し可能に係合するラッチを含んでいる、請求項１１に記載の装置。
【請求項１５】
該ラッチが開位置と閉位置との間で可動であり、かつ該ドッキング部材は回り止め機構を含んでいて、該回り止め機構が該ラッチを該開位置あるいは該閉位置の少なくとも一方に取り外し可能に保持している、請求項１４に記載の装置。
【請求項１６】
該第二コネクタが開位置と閉位置との間で可動なラッチを含んでいて、該ドッキング部材が該閉位置において該ラッチと取り外し可能に係合しているロックを含んでいる、請求項１１に記載の装置。
【請求項１７】
該接続部分が該第二コネクタにより取り外し可能に係合されている受けである、請求項１１に記載の装置。
【請求項１８】
該ドッキング部材がトランスフォーマを含んでいて、該トランスフォーマは該スピーカーハウジングと電気的に接続可能である、請求項１１に記載の装置。
【請求項１９】
該スピーカーハウジングと該ドッキング部材との一方が少なくとも一つの溝を含んでいて、該スピーカーハウジングと該ドッキング部材との他方が、該少なくとも一つの溝にスライド可能に受容されるべく形成された少なくとも一つの突起を含んでいる、請求項１１に記載の装置。
【請求項２０】
スピーカー取付け装置が：
取付けブラケットと；
該取付けブラケットと接続されたドッキング部材であって、ラッチと電気コネクタとを有しているドッキング部材と；
取り外し可能に該ドッキング部材と接続されたスピーカーであって、該スピーカーは、該スピーカーを該ドッキング部材と接続するべく、該ラッチにより取り外し可能に係合されている受けを有していて、該電気コネクタは該ドッキング部材を該スピーカーと電気的に接続する、スピーカーと；
を具備するスピーカー取付け装置。
【請求項２１】
該ドッキング部材が該スピーカーと作動可能に接続されたトランスフォーマを含んでいる、請求項２０に記載のスピーカー取付け装置。
【請求項２２】
該スピーカーハウジングと該ドッキング部材との一方が少なくとも一つの溝を含んでいて、該スピーカーハウジングと該ドッキング部材との他方が、該少なくとも一つの溝にスライド可能に受容されるべく形成された少なくとも一つの突起を含んでいる、請求項２０に記載のスピーカー取付け装置。
【請求項２３】
該ラッチが開位置と閉位置との間で可動であり、かつ該ドッキング部材は回り止め機構を含んでいて、該回り止め機構が該ラッチを該開位置あるいは該閉位置の少なくとも一方に取り外し可能に保持している、請求項２０に記載のスピーカー取付け装置。
【請求項２４】
該ドッキング部材が該閉位置において該ラッチと取り外し可能に係合しているロックを含んでいる、請求項２０に記載のスピーカー取付け装置。
【請求項２５】
該取付けブラケットと該ドッキング部材とを接続する第一コネクタと；
該第一コネクタを貫通して延伸しているスピーカーワイヤであって、該電気コネクタと電気的に接続されているスピーカーワイヤと；
をさらに具備している、請求項２０に記載のスピーカー取付け装置。
【請求項２６】
該ラッチが、第一位置と第二位置との間で可動である、請求項２０に記載のスピーカー取付け装置。
【請求項２７】
構造体へのスピーカー取付け方法であって、スピーカー取付け方法が：
取付けブラケットを該構造体に取り付ける段階と；
コネクタを用いてドッキング部材を該取付けブラケットと接続する段階と；
保持部材によりスピーカーハウジングを該ドッキング部材に取り外し可能に取り付ける段階と；
該取付けブラケットと該構造体とに対して、ユニットとして該ドッキング部材及び該スピーカーハウジングを組み立てる段階と；
を含んでいるスピーカー取付け方法。
【請求項２８】
保持部材によりスピーカーハウジングを該ドッキング部材に取り外し可能に取り付ける該段階が、急速取り外し機構によりスピーカーハウジングを該ドッキング部材に取り外し可能に取り付ける段階を含んでいる、請求項２７に記載のスピーカー取付方法。
【請求項２９】
該ドッキング部材及び該スピーカーハウジングを組立てる該段階が、該取付けブラケットに隣接しているボール−ソケット継手におけるボールを移動する段階を含んでいる、請求項２７に記載のスピーカー取付方法。
【請求項３０】
スピーカーハウジングを該ドッキング部材に取り外し可能に取り付ける該段階が、該スピーカーにおける受けを該ドッキング部材におけるラッチと取り外し可能に係合する段階を含んでいる、請求項２７に記載のスピーカー取付方法。
【請求項３１】
スピーカーハウジングを該ドッキング部材に取り外し可能に取り付ける該段階が、該ドッキング部材におけるトランスフォーマを該スピーカーハウジングと取り外し可能に電気的に接続する段階を含んでいる、請求項２７に記載のスピーカー取付方法。
【請求項３２】
スピーカーハウジングを該ドッキング部材に取り外し可能に取り付ける該段階が、該スピーカーハウジングにおける少なくとも一つの突起を該ドッキング部材における溝の中へスライドさせる段階を含んでいる、請求項２７に記載のスピーカー取付方法。
【請求項３３】
スピーカーハウジングを該ドッキング部材に取り外し可能に取り付ける該段階が、該ドッキング部材における少なくとも一つの突起を該スピーカーハウジングにおける溝の中へスライドさせる段階を含んでいる、請求項２７に記載のスピーカー取付方法。
【請求項３４】
スピーカーワイヤを該コネクタを貫通して配線する段階と；
該スピーカーワイヤを該ドッキング部材に接続する段階と；
をさらに含んでいる、請求項２７に記載のスピーカー取付方法。
【請求項３５】
該ドッキング部材における第一電気コネクタを該スピーカーハウジングにおける第二電気コネクタと取り外し可能に取り付ける段階をさらに含んでいる、請求項２７に記載のスピーカー取付方法。
【発明の詳細な説明】
【技術分野】
【０００１】
本発明は、オーディオ装置に関する。より詳しくは、本発明は、スピーカー取付け装置に関する。
【背景技術】
【０００２】
オーディオ装置は、一般にレストラン、バー、ホテル、カジノ、オフィス及び他の商店で使用されている。商業用ビルに加えて、多くの住居用ビルにおいてもオーディオ装置は使われている。オーディオ装置の一部としてスピーカーは時にビル全体に設置されている。例えば、スピーカーは時に台所、オフィス、浴室、ホール通路、ロビー及びエレベータに設置されている。ビルの異なる場所における複数のスピーカーはスピーカーワイヤを介して一つ以上の再生装置あるいは放送設備（例えばアンプ、ラジオ、テープレコーダーＣＤプレーヤー）と接続されている。
【０００３】
ビルにおいて、スピーカーは壁面又は天井に取りつけられる。スピーカーを取りつけることは、事故の防止に役立つ。しかしながら、スピーカーの取り付けはいくつかの困難に当面する。例えば、スピーカーは壁面あるいは天井の塗装後に設置される場合がある。この場合、スピーカーの設置が壁面あるいは天井の新しい塗装を傷つけるリスクがある。代りに、スピーカーが壁面あるいは天井の塗装前に設置される場合もある。この場合、スピーカーに塗装されてしまうこともある。さらに、スピーカーは時に周囲に部屋の少ない場所に取りつけられることがある。従って、スピーカーを壁面あるいは天井に取りつける場合、スピーカーワイヤをスピーカーと接続すること、あるいはスピーカーのワイヤ接続部へアクセスすることが困難となる。
【０００４】
さらにスピーカーのサイズ及び重量が、壁面あるいは天井へのスピーカーの取りつけを困難にしている。スピーカーが大きくて重いと設置は危険なものとなる。というのはスピーカーをスピーカーワイヤーと接続する場合、あるいはスピーカーを取付けプレートと接続する場合、スピーカーを保持している必要があるからである。スピーカーを高い壁面あるいは高い天井に設置する場合、設置はより困難なものとなる。
【発明の開示】
【発明が解決しようとする課題】
【０００５】
本発明の目的はスピーカー取付け装置及びスピーカー取付け方法を提供することである。
【課題を解決するための手段】
【０００６】
本発明の一つの実施態様において、スピーカー取付け装置は、構造体に取り付け可能な取付け部材と、取付け部材に取り付け可能なコネクタと、コネクタに取り付け可能なドッキング部材と、ドッキング部材に取り付け可能なスピーカーハウジングとを有している。スピーカーハウジングは側面を有していて、側面には受容部分が備えられている。受容部分は、ドッキング部材を取りはずし可能に受容している。
【０００７】
本発明の他の実施態様において、構造体へのスピーカーハウジングの取り付け方法が、取付けブラケットを構造体に取りつける段階と、コネクタを用いてドッキング部材を取付けブラケットに接続する段階と、スピーカーハウジングをドッキング部材に取りはずし可能に取りつける段階と、取付けブラケット及び構造体に対して、ユニットとして結合プレートとスピーカーハウジングとを組立てる段階とを含んでいる。
【発明を実施するための最良の形態】
【０００８】
以下の説明は、スピーカー取付け装置と、スピーカーを壁面あるいは天井のような構造体に取りつける方法とに関する。以下の説明において、本発明の実施態様に対する完全な理解を提供しかつ説明を可能にするために、多くの特定な詳細、例えばコネクタのタイプ、特定のスピーカーアセンブリコンポーネント等が提供されている。しかしながら、当業者においては、一つ以上の特定な詳細がなくても本発明を実施できることが理解されるであろう。例えば、スピーカー取付け装置の多くの実施態様が、ラッチ及び受け継手アセンブリを備えているものとして説明されているけれども、別の急速継手アセンブリが使用されてもよい。他にも、公知の構造体あるいは方法は、本発明の実施態様を不明瞭にすることを回避するために、図示されておらずあるいは詳細に説明されていない。
【０００９】
図１は、本発明の実施態様におけるスピーカー取付け装置を示す後方から見た斜視図である。図２は、図１におけるスピーカー取付け装置を示す前方から見た斜視図である。図示された実施態様のスピーカー取付け装置１が、取付けプレート６とスピーカーハウジング２とを含んでいて、取付けプレート６はドッキング部材４と接続されており、スピーカーハウジング２は、取り外し可能にドッキング部材４と結合し、スピーカーハウジング２を選択した位置と方向とに確実に保持するようになっている。取付けプレート６は、壁面あるいは天井のような構造体（図示されていない）に取り付けるべく形成されている。例示の実施態様において、取付けプレート６は四つの取付け穴４０を有していて、留め具（図示されいない）が四つの取付け穴４０に挿着され取付けプレート６を構造体に取りつけている。別の実施態様において、取付け穴４０は異なる配列であってもよくて、さらに取付けプレート６が異なる数の取付け穴４０を有していてもよい。
【００１０】
例示の実施態様において、取付けプレート６はコネクタ４２により回動・回転可能にドッキング部材４と接続されている。例示の実施態様のコネクタ４２は、一方の端部に拡大ボール７０を有している細長いロッドである。ボール７０は、取付けプレート６に形成されたソケット７２に可動に保持されており、従ってボール−ソケット継手４４を形成している。玉継手４４は、コネクタ４２が取付けプレート６に対し回動・回転することを可能にしている。従って、ボール−ソケット継手４４は、スピーカーアセンブリ５８に配向されているので、利点のあるものとなっている。別の実施態様において、取付けプレート６が、コネクタ４２の回動・回転を阻止する固定継手、又は回動可能なヒンジ継手のような他のタイプの継手を有していてもよい。さらに他の実施形態において、他のコネクタが使用されてもよい。例えば、あるコネクタはドッキング部材４を機械的に支持していて、他のコネクタがドッキング部材４を取付けプレート６と電気的に接続していてもよい。例示の実施態様において、コネクタ４２が導管を提供する中空ロッドであって、スピーカーワイヤ７４がドッキング部材４と接続するべく導管に配線されている。別の実施態様において、コネクタ４２は、ドッキング部材４に延伸しているスピーカーワイヤ７４を受容するためのチャンネルあるいは他の構造体を有していてもよい。他の実施態様において、スピーカーワイヤ７４が、直接ドッキング部材４と接続するような他の方法でドッキング部材４へ配線されていてもよい。
【００１１】
例示の実施態様において、ドッキング部材４が取付けプレート６から離間するようにコネクタ４２がドッキング部材４にしっかり取り付けられている。ドッキング部材４と接続しているナット４６により、コネクタ４２はドッキング部材４としっかり固定されている。従ってコネクタ４２は、ドッキング部材４への機械的サポート、及び取付けプレート６とドッキング部材４との間の電気的導管とを提供している。
【００１２】
図８は、後方から見た斜視図であって、コネクタ４２はドッキング部材４からはずされている。例示の実施態様において、ドッキング部材４をコネクタ４２と接続しているナット４６が、コネクタ４２の軸に沿ってスライド可能になっている。ある実施態様において、ナット４６は、コネクタ４２に取りつけられた保持リング（図示されていない）によりコネクタ４２に保持されている。ナット４６の外表面が、平らなエッジ部分１０２及びねじ山部分１０４を有している。ナット４６の平らなエッジ部分１０２は、ナット４６が締め付け工具により容易に把持されることを可能にしている。ナット４６のねじ山部分１０４は外表面にねじ切りされているので、ナット４６は雄／雌継手の雄部分を形成している。
【００１３】
例示の実施態様において、コネクタ４２がドッキング部材４と接続される場合、ナット４６のねじ山部分１０４がドッキング部材４のねじ穴１００にねじ込まれる。ねじ穴１００の底部は六角穴９４となっている。ナット４６のねじ山部分１０４がねじ穴１００にねじ込まれるので、コネクタ４２の六角端部９６がドッキング部材４の六角穴９４の中へ移動する。ナット４６がドッキング部材４のねじ穴１００にねじ込まれてしまうと、コネクタ４２の六角端部９６が、六角穴９４に位置決めされ、ドッキング部材４に対するコネクタ４２の回転が防止される。従って六角形状構造が、キー溝タイプのロッキング構造を提供している。別の実施態様において、長方形状コネクタ、スロット式コネクタ等の他のキー溝タイプ構造が使用されてもよい。例示の実施態様の利点の一つは、ナット４６が、取付けプレート６からのドッキング部材４の容易で迅速な取り外しを可能にしていることである。例えばユーザが、スピーカーハウジング２を取付けプレート６を必要としない本棚あるいは他の場所に設置することを所望する場合、分離が望ましいものとなる。別の実施態様において、コネクタ４２は他の手段によりドッキング部材４と接続されてもよい。例えば、コネクタ４２が、ドッキング部材４のねじ穴１００にねじ込まれるねじ山端部を有していてもよい。代りに、コネクタ４２がドッキング部材４におけるボール−ソケット継手と接続されてもよい。当業者においては、コネクタ４２をドッキング部材４に取りつける他の方法が理解されるであろう。
【００１４】
図１において、取付けプレート６及びコネクタ４２に加えて、例示の実施態様におけるスピーカー取付け装置１がスピーカーハウジング２を含んでいる。スピーカーハウジング２は上面２８と底面２７と湾曲した側面２３とを有している。湾曲した側面２３は、スピーカーハウジング２の一方の側面から背後を囲んで他方の側面へ延伸していて、外郭となっている。別の実施態様において、スピーカーハウジング２が、湾曲したというより平らな側面を有していてもよい。例示の実施態様において、上面２８が、スピーカーハウジング２の容易な搬送を可能にするべくハンドル２４を有している。代りに、スピーカーハウジング２が他の面にハンドル２４を備えていてもよいし、全然備えていなくてもよい。
【００１５】
例示の実施態様において、スピーカーハウジング２が、上面２８と下面２７と湾曲した側面２３とに隣接して設置されたスピーカーカバー６４を有している。スピーカーカバー６４は、スピーカー８０及び８２（図４）から音が通過することを可能にする金属（穴付き）又はいずれの材料で作られていてもよい。スピーカーハウジング２の内部には、（ツィータのような）小スピーカー８０及び（ウーファのような）大スピーカー８２とがある。小スピーカー８０は大スピーカー８２と隣接して設置されている。別の実施態様において、スピーカーハウジング２が、いずれの数のスピーカー及びいずれのサイズのスピーカーを含んでいてもよい。さらにスピーカー８０及び８２は他の配置であってもよい。
【００１６】
例示の実施態様におけるスピーカーハウジング２は湾曲側面２３に凹部１７を有している。上面５２と下面５４と背面１５とが凹部１７を形成している。細長い突起８ａ及び８ｂがそれぞれ上面及び下面５２及び５４に取り付けられている。細長い突起８ａ及び８ｂは、それぞれ上面及び下面５２及び５４に沿って、背面１５をほぼ横断する方向に延伸している。突起８ａ及び８ｂは、上面及び下面５２及び５４から僅かに突出するように幅が広くなっている。別の実施態様において、上面及び下面５２及び５４が（突起なしの）平面であってもよくて、あるいは一つ以上の溝及び／又は突起を有していてもよい。他の実施態様において、凹部１７が上面及び下面５２及び５４を含んでいないけれど、スピーカーハウジング２の上面２８から下面２７へ延伸していてもよい。凹部１７の背面１５が留め具１８によりスピーカーハウジング２に取りつけられたプレート１６を有している。プレート１６は取り外し可能であって、スピーカーハウジング２の内部へアクセス可能となっている。別の実施態様において、背面１５が取り外し可能なプレートを有していなくてもよい。
【００１７】
図１において、ドッキング部材４がスピーカーハウジング２から取り外されている。例示の実施態様において、ドッキング部材４は湾曲側面３７と上面４８と下面５０とを有している。湾曲側面３７が外郭３６を含んでいる。上面４８が溝３０ａを有していて、その溝３０ａは、スピーカーハウジング２の凹部１７における上面５２の突起８ａをスライド可能に受容するべく形成されている。同様に、下面８０が溝３０ｂを有していて（図２）、その溝３０ｂは、スピーカーハウジング２の凹部１７における下面５４の突起８ｂをスライド可能に受容すべく形成されている。突起８ａ及び８ｂと対応する溝３０ａ及び３０ｂとの間のインターフェースは、ドッキング部材４とスピーカーハウジング２とが結合されるような適切なアラインメントを提供している。別の実施態様において、スピーカーハウジング２が溝を有していて、ドッキング部材４が突起を有していてもよい。他の実施態様において、ドッキング部材４及びスピーカーハウジング２が溝又は突起を有していなくてもよい。
【００１８】
例示の実施態様において、ドッキング部材４はスピーカーハウジング２の凹部にスライド可能に受容されるべく形成されている。スピーカーハウジング２の突起８ａ及び８ｂをドッキング部材４の溝３０ａ及び３０ｂと整列し、続いてドッキング部材４を凹部１７の中にスライドさせることにより、結合が行なわれる。図３は結合状態におけるスピーカー取付け装置１を示している。例示の実施態様において、結合状態におけるドッキング部材４の湾曲側面３７における外郭３６は、スピーカーハウジング２の湾曲側面２３における外郭２２とほぼ合っている。ほぼ合っている外郭３６及び３７は、審美的にスピーカーハウジング２とドッキング部材４との間が滑らかに相互接続した表面を作り出している。別の実施態様において、外郭３６及び３７はスピーカーハウジング２とドッキング部材４との間で滑らかに相互接続した表面を作り出していなくてもよい。
【００１９】
スピーカーハウジング２が結合状態の場合、ドッキング部材４は急速継手機構によりスピーカーハウジング２と接続されている。急速継手機構は、ユーザがスピーカーハウジング２をドッキング部材４と迅速に接続することを可能にしている。図１−７が急速継手機構の一つの実施態様を図示していて、急速継手機構は、スピーカーハウジング２に取りつけられた受け１２と、ドッキング部材４に取りつけられたラッチ３２とを含んでいる。別の実施態様は、他のタイプの急速継手機構、例えばソケットフィッティング、回り止め機構、ロックピン、スプリングピン、カム式ロック、クォーターターンファスナ等であってもよい。図１において、受け１２が、スピーカーハウジング２のプレート１６にしっかり取りつけられていて、ドッキング部材４と取り外し可能に係合するべく位置決めされている。受け１２は、プレート１６に取りつけられた後方プレート７６と、後方プレート７６から延伸している離間した一対の耳７８と、耳７８の間に延伸しているクロスバー１４とを有している。別の実施態様において、ドッキング部材４のための機械的な取り付け点を提供するべく、他の形状の受け１２が使用されてもよい。例えば、受け１２はプレート１６における穴であってもよい。例示の実施態様において、ドッキング部材４のラッチ３２は取り外し可能に受け１２と係合している。図４に図示されているように、例示の実施態様におけるラッチ３２は、円筒状ボデー８９と、ハンドル５６と、円筒状ボデーに取りつけられた湾曲フィンガ８５とを有している。湾曲フィンガ８５と円筒状ボデー８９との間はスロット９１となっている。ラッチ３２は、ピン８７によりラッチハウジング６６（図２に図示されている）に取りつけられている。ピン８７は円筒状ボデー８９の中心に設置されているので、湾曲フィンガ８５も含めてラッチ３２はピン８７周囲を回転出来るようになっている。
【００２０】
図４において、スピーカーハウジング２がドッキング部材４に結合されている。例示の実施態様において、ドッキング部材４におけるラッチ３２が開位置にあって、従ってラッチ３２のハンドル５６はドッキング部材４から突出してはずれていて、受け１２のクロスバー１４がラッチ３２におけるスロット９１の外側に位置している。開位置にあるラッチ３２を用いて、スピーカーハウジング２はドッキング部材４から引きはなすことができ、又はラッチ３２はハンドル５６に下向きの力を作用することにより閉位置（図５に図示）に回転できる。ラッチ３２が閉位置にピン８７周囲を回転するので、湾曲フィンガ８５が受け１２のクロスバー１４周囲に巻き付きクロスバー１４がスロット９１に受容される。閉位置において、湾曲フィンガ８５によるクロスバー１４の係合が、スピーカーハウジング２をドッキング部材４にロックしている。閉位置において、ラッチ３２のハンドル５６はドッキング部材４における開口部３８（図１に図示）に受容されている。
【００２１】
別の実施態様において、ドッキング部材４は、他の急速継手によりスピーカーハウジング２に選択的に取りつけられていてもよい。例えば、スピーカーハウジング２の上面及び下面が、ドッキング部材４における穴に対応する穴を有していてもよい。ピン４が穴に挿入され、ドッキング部材４をスピーカーハウジング２に取りつけるようになっていてもよい。
【００２２】
例示の実施態様における図６において、ドッキング部材４が、ラッチ３２を開位置に選択的に保持するべく回り止め９２を有している。回り止め９２がドッキング部材４の延伸部であって、その延長部はラッチ３２の円筒状ボデー８９と接触している。回り止め９２はフレキシブルなので、下向きの力がハンドル５６に作用すると回り止めはラッチ３２を閉じるようになっている。別の実施態様においては回り止めがなくてもよいし、ラッチ３２を開位置に選択的に保持するための他の装置があってもよい。
【００２３】
例示の実施態様における図４，５及び７において、ドッキング部材４が、ラッチ３２を閉位置に選択的にロックするための、チップ９８を備えたロッキング機構８４を有している。ラッチ３２を閉じる場合、ロッキング機構８４のチップ９８がラッチ３２のハンドル５６における穴９０を通過する。ロッキング機構８４は、穴９０を通過するとき、ラッチ３２を摩擦し、曲がるので、ラッチ３２を閉じることができる。ラッチ３２が閉じられる場合、ロッキング機構８４がもどり、チップ９８はその初期位置に復元し、ラッチ３２を閉位置にロックする。ラッチ３２を開とするために、ユーザはロッキング機構８４のチップ９８をラッチ３２から押してはずし、ロッキング機構８４を曲げる。続いてユーザは開口部３８にかつラッチ３２のハンドル５６の下に指を置き、ラッチ３２を開位置に向けて上向きに回転する。別の実施態様において、ラッチ３２をロックするための別の装置が使用されてもよいし、あるいはラッチがロッキング機構を有していなくてもよい。
【００２４】
図２において、スピーカーハウジング２がドッキング部材４から外されて図示されている。例示の実施態様において、ドッキング部材４はラッチ３２の上方に取りつけられたトランスフォーマ６０を有している。トランスフォーマ６０は、調節ダイアルあるいはノブ６８（図１に図示）を備えたトランスフォーマスィッチ３４を有している。ユーザは、調節ノブ６８を調節し、スピーカー８２に供給される電圧を変更することができる。スピーカー８２における電圧の調節は、ユーザが個々に各々のスピーカー８２の音量を選択できることを可能にしている。このことは、一方のスピーカーと他方のスピーカーとの音量を変えることが所望される場合、特に有効なものとなる。例えば、浴室におけるスピーカーに比較して音量を大きくするバーにおけるスピーカーに所望されるものである。別の実施態様において、ドッキング部材４がトランスフォーマ６０を含んでいなくてもよい。
【００２５】
トランスフォーマ６０に加えて、例示の実施態様におけるドッキング部材４が、ドッキング部材４をスピーカーハウジング２のコンポーネントと電気的に接続するために設置された電気コネクタ６２を有している。例示の実施態様において、電気コネクタ６２はバナナプラグである。他の実施態様において、電気コネクタ６２は、フレッティング腐蝕を回避するべくフローティングあるいはソフト−スプリング装置であってもよい。図１に最もよく図示されているように、電気コネクタ６２はスピーカーハウジング２の電気コネクタ２０と接続するべく位置決めされている。例示の実施態様において、電気コネクタ２０は従来形の五極柱タイプである。別の実施態様において、他のタイプの電気コネクタが、スピーカーハウジング２におけるコンポーネントをドッキング部材４と電気的に接続するべく使用されてもよい。例示の実施態様において、電気コネクタ２０及び６２は軸方向に整列しているので、スピーカーハウジング２がドッキング部材４と結合される場合、バナナプラグは五極柱にスライドし電気的に係合する。スピーカーハウジング２がドッキング部材４と結合される場合、電気コンポーネントは電気的に一体に接続される。例示の実施態様において、スピーカーワイヤ７４が、コネクタ４２を通過していて、トランスフォーマ６０とトランスフォーマスィッチ３４とに電気的に接続している。トランスフォーマ６０及びトランスフォーマスィッチ３４は、ドッキング部材４における電気コネクタ６２と電気的に接続されていて、その電気的コネクタ６２はスピーカーハウジング２における電気コネクタ２０と電気的に接続されている。電気コネクタ２０は、スピーカーハウジング２におけるコンポーネントと電気的に接続されている。別の実施態様において、ドッキング部材４がトランスフォーマ６０を含んでいないなら、スピーカーワイヤ７４は電気コネクタ６２と電気的に接続されてもよい。
【００２６】
本発明の例示の実施態様における利点の一つは、取付けプレート６を、塗装する前に構造体に取りつけることができ、従って組立時において塗装した構造体をこすりつけたり、傷つけたりする可能性が低減されていることである。さらに、取付けプレート６は、スピーカー８２あるいはスピーカーハウジング２の重量を支えることなく構造体に取りつけかつ配線することができる。例示の実施態様におけるもう一つの利点は、取付けプレート６を構造体に取りつけ、かつドッキング部材４を取付けプレート６に取りつけた直後にスピーカーハウジング２を組立てることができることである。従って、単にスピーカーハウジング２をドッキング部材４にスライドすることにより、かつ急速継手機構を作動させることにより、スピーカーハウジング２をドッキング部材４と結合することができる。
【００２７】
前述の説明から、本発明における特定の実施態様が説明目的のために説明されてきたが、本発明の精神及び範囲を逸脱することなく種々の修正が行なわれてもよいことが理解されるであろう。従って本発明は特許請求の範囲により限定されるものではない。
【図面の簡単な説明】
【００２８】
【図１】図１は、本発明の実施態様におけるスピーカー取付け装置を示す後方から見た斜視図である。
【図２】図２は、図１におけるスピーカー取付け装置を示す前方から見た斜視図である。
【図３】図３は、図１におけるスピーカー取付け装置の後方から見た斜視図であって、格納状態を図示している。
【図４】図４は、図３における線４−４に沿って切断した拡大断面図であって、ラッチが開位置で図示されている。
【図５】図５は、図４と同様の部分断面図であって、ラッチが閉位置で図示されている。
【図６】図６は、図２の線６−６に沿って切断した部分断面図であって、本発明の実施態様における取付けプレート及び結合部材を図示している。
【図７】図７は、図６における取付け部材と結合部材との側面図である。
【図８】図８は、図６における取付け部材と結合部材との後方から見た斜視図であって、取付けプレートを結合部材から分離して図示してある。
【図１】
2005520446.tif 000003
【図２】
2005520446.tif 000004
【図３】
2005520446.tif 000005
【図４】
2005520446.tif 000006
【図５】
2005520446.tif 000007
【図６】
2005520446.tif 000008
【図７】
2005520446.tif 000009
【図８】
2005520446.tif 000010
【国際調査報告】
2005520446.tif 000011
2005520446.tif 000012